(57)【要約】【課題】本発明は、製造効率に優れ、低コストで製造できる枚葉シート状基材への転写方法を提供することを目的とするものである。【解決手段】枚葉シート状基材上に、ウエブ状の透光性ベースフィルム上に転写層を形成してなる転写シートをロールから連続して供給し、前記枚葉シート状基材に間欠的に前記転写層のみを転移・積層させる枚葉シート状基材への転写方法であって、  前記転写層を構成する樹脂が放射線硬化性樹脂からなり、その転写層を前記枚葉シート状基材へ貼着し、透光性ベースフィルムを介して放射線を全面に照射し、前記転写層を硬化させ、枚葉シート状基材上に重合接着した後、間欠的に供給される前記枚葉シート状基材間の転写層が酸素障害により未重合状態で選択的に前記透光性ベースフィルム側に接着した状態で、枚葉シート状基材上に重合接着した前記転写層から剥離することを特徴とする枚葉シート状基材への転写方法である。【選択図】図１
2007199334.tif 000002
【特許請求の範囲】
【請求項１】
枚葉シート状基材上に、ウエブ状の透光性ベースフィルム上に転写層を形成してなる転写シートをロールから連続して供給し、前記枚葉シート状基材に間欠的に前記転写層のみを転移・積層させる枚葉シート状基材への転写方法であって、
前記転写層を構成する樹脂が放射線硬化性樹脂からなり、その転写層を前記枚葉シート状基材へ貼着し、透光性ベースフィルムを介して放射線を全面に照射し、前記転写層を硬化させ、枚葉シート状基材上に重合接着した後、間欠的に供給される前記枚葉シート状基材間の転写層が酸素障害により未重合状態で選択的に前記透光性ベースフィルム側に接着した状態で、枚葉シート状基材上に重合接着した前記転写層から剥離することを特徴とする枚葉シート状基材への転写方法。
【請求項２】
前記転写層が、放射線硬化性樹脂に光拡散材が分散混入されてなる光拡散性転写層からなり、光拡散シートを製造することを特徴とする請求項１記載の枚葉シート状基材への転写方法。
【請求項３】
前記枚葉で供給される枚葉シート状の基材間の転写層を選択的に遮蔽するマスクを介して放射線を照射することを特徴とする請求項１または２記載の枚葉シート状基材への転写方法。
【発明の詳細な説明】
【技術分野】
【０００１】
本発明は、枚葉シート状基材への転写方法に関し、例えば、リアプロジェクションＴＶ等の背面投射型ディスプレイ装置の透過型スクリーンに用いられる光拡散シートを製造することが可能な枚葉シート状基材への転写方法に関する。
【背景技術】
【０００２】
従来より、透過型スクリーンを備えた背面投射型ディスプレイ装置として知られるリアプロジェクションテレビは、光源としてのプロジェクタから投射される映像光を、反射鏡によって反射させて略長方形平板状をなす透過型スクリーンの背面に入射させることにより、この透過型スクリーンの前面側に位置する観察者が、透過型スクリーンを透過して出射する映像光を観察することができるように構成されたものである。
【０００３】
透過型スクリーンは、入射光の方向を整えて出射光とするフレネルレンズシートと、このフレネルレンズシートからの出射光を拡散させるレンチキュラーレンズアレイシート（拡散レンズアレイシート）とを備えている。このような透過型スクリーンにおけるレンチキュラーレンズアレイシートは、そのレンチキュラーレンズアレイ（拡散レンズアレイ）によってスクリーンの左右方向（水平方向）に拡散させた光をスクリーンの上下方向（垂直方向）に拡散させるための光拡散板を備えており、また、フレネルレンズシートも、レンチキュラーレンズアレイシートの拡散作用を補うための光拡散板を備えていることがある。
【０００４】
光拡散板としては、例えば、光拡散剤が混入された光拡散層とこの光拡散層が接着された透明基板とを備えたものが一般的に用いられている。このような光拡散板の製造方法の一例として、光拡散剤が混入された樹脂を含んだ溶剤を透明基板に塗布して乾燥させることにより、光拡散層が透明基板に接着されてなる光拡散板を得る方法（例えば、特許文献１参照）や、光拡散フィルムを接着剤で透明基板に接着したり、光拡散剤が混入された樹脂を共押出成形することにより、光拡散板を得る方法が知られている。
【０００５】
しかしながら、上記の方法は、溶剤を透明基板に塗布する工程に困難であり、光拡散
板の製造コストの増大を招くという問題があり、また、後者の方法は、光拡散層の薄型化が困難となって解像度の低下を招くという問題や、光拡散フィルムと透明基板とに用いられる材料が異なる場合に環境特性によって反り・浮き等の不具合が生じたり、共押出成形では光拡散剤を分散配合させることに起因してシートの外観不良や成形精度の低下、強度不足等の不具合が生じるという問題があった。
【０００６】
一方、光拡散フィルム，光拡散シートに特定される積層体を得ることを目的とはしていないが、基板に転写層をラミネートする手法も、多種の分野で採用されており、特許文献２，３に例示されるラミネート装置／方法も知られている。
【０００７】
特許文献２によるラミネート（積層）方法は、予熱したシート基板を、不作動状態にある一対の対向する圧着ローラの間に、感光層が設けられた帯状支持体と共に送り、該圧着ローラを作動状態にして、該シート基板の先端辺部及び後端辺部に非接着部分を残して該感光層がシート基板に接着するように該帯状支持体と該シート基板とを挟持圧着しながら前進させ、次いで、該感光層が接着されたシート基板を冷却し、次いで該帯状支持体を、シート基板に接着しなかった感光層と共にシート基板から引き離す積層方法において、シート基板の先端辺部及び後端辺部の接着すべき感光層と接着しない感光層の境界で、感光層のみを、圧着ローラに入る前に切断することを特徴とする積層方法である。
【０００８】
特許文献３によるラミネート（積層）装置は、基板にラミネートされる転写層が予め決められた基板端部より内側にラミネートされるための基板端部に相当する領域および基板と基板の間隔部に相当する領域の転写層が基板及びラミネートロールなどの転写層の転写を必要としない領域に付着しないように転写層を露光する機構、転写層と基板のラミネート機構、前記ラミネート機構に所定の間隔を空けて基板を供給する基板搬送機構、前記ラミネート機構にベースフィルムに転写層が形成された長尺積層フィルムを前記転写層が前記基板に面するようにして供給する長尺積層フィルムの搬送機構、ラミネート後前記ベースフィルムを連続的に剥離する剥離機構を備えたラミネート装置であって、前記ラミネート機構と剥離機構が、対向する一対のラミネートロールと、前記長尺積層フィルム側のラミネートロールの基板搬送方向の前方に設けられたベースフィルム剥離用ガイドロールからなることを特徴とするラミネート装置である。
【０００９】
特許文献２，３により得られる製造物（積層体）は、何れも「枚葉のシート状基材」のそれぞれに対して、「感光性を有する転写層がラミネートされてなる」構成であり、それぞれの文献による発明は、間隔を空けて断続的・間欠的に供給される前記基材に、帯状支持体上に連続的に形成された転写層を、前記基材表面の所定領域のみに転移させるための工夫や改良に関するものである。
【００１０】
特許文献２では、転写工程に先駆けて、転移させるべき領域にあたる転写層とそれ以外の転写層とを、予め切断（帯状支持体までには至らない切り込み）により領域分けしておく手法を採用しており、特許文献３では、転写工程に先駆けて、転移させるべき領域以外の転写層に、予め露光処理を施しておくことにより、基板との密着性を低下させておく手法を採用している。
【特許文献１】特開２００４−７７７８１号公報
【特許文献２】特許第２７２０２４３号公報
【特許文献３】特許第３５６２４６８号公報
【発明の開示】
【発明が解決しようとする課題】
【００１１】
本発明は、上記の技術的背景を考慮してなされたものであって、枚葉シート状基材上に、ウエブ状の透光性ベースフィルム上に転写層を形成してなる転写シートをロールから連続して供給し、上記枚葉シート状基材に間欠的に上記転写層のみを転移・積層させる、製造効率に優れ、低コストで製造できる枚葉シート状基材への転写方法を提供することを目的し、特に、上記転写層を光拡散性を有する転写層とすることで、例えば、リアプロジェクションＴＶ等の背面投射型ディスプレイ装置の透過型スクリーンに用いられる光拡散シートをこの転写方法により製造効率に優れ、低コストで製造できる枚葉シート状基材への転写方法を提供することを目的とするものである。
【課題を解決するための手段】
【００１２】
上記の目的を達成するために、すなわち、請求項１記載の発明は、枚葉シート状基材上に、ウエブ状の透光性ベースフィルム上に転写層を形成してなる転写シートをロールから連続して供給し、前記枚葉シート状基材に間欠的に前記転写層のみを転移・積層させる枚葉シート状基材への転写方法であって、
前記転写層を構成する樹脂が放射線硬化性樹脂からなり、その転写層を前記枚葉シート状基材へ貼着し、透光性ベースフィルムを介して放射線を全面に照射し、前記転写層を硬化させ、枚葉シート状基材上に重合接着した後、間欠的に供給される前記枚葉シート状基材間の転写層が酸素障害により未重合状態で選択的に前記透光性ベースフィルム側に接着した状態で、枚葉シート状基材上に重合接着した前記転写層から剥離することを特徴とする枚葉シート状基材への転写方法である。
【００１３】
また、請求項２記載の発明は、前記転写層が、放射線硬化性樹脂に光拡散材が分散混入されてなる光拡散性転写層からなり、光拡散シートを製造することを特徴とする請求項１記載の枚葉シート状基材への転写方法である。
【００１４】
また、請求項３記載の発明は、前記枚葉で供給される枚葉シート状基材間の転写層を選択的に遮蔽するマスクを介して放射線を照射することを特徴とする請求項１または２記載の枚葉シート状基材への転写方法である。
【発明の効果】
【００１５】
本発明により、従来の枚葉シート状基材上に、間欠的に、ウエブ状の透光性ベースフィルム上に転写層を形成してなる転写シートの転写層のみを転移・積層させる方法に比較して、転写工程に先駆けての「転写層の切断（ハーフカット）」や「転写層の露光」といった処理およびそのための機構を必要としないために、製造効率に優れ、低コストで製造できる枚葉シート状基材への転写方法を提供できる。
【００１６】
また、本発明の枚葉シート状基材への転写方法により、例えば、リアプロジェクションＴＶ等の背面投射型ディスプレイ装置の透過型スクリーンに用いられる光拡散シートを製造効率に優れ、低コストで製造できる。さらに、光拡散性転写層の薄型化を図ってディスプレイ画像の解像度の低下を抑制することが可能な光拡散シートが得られる。
【発明を実施するための最良の形態】
【００１７】
以下、本発明の実施形態の一例について図面を参照して説明する。図１は、本発明の枚葉シート状基材への転写方法の一実施例として、光拡散シートの製造方法の一例を説明する模式説明図である。
【００１８】
図１で示すように、ウエブ状の透光性ベースフィルム（３）上に放射線硬化性樹脂に光拡散材が分散混入されてなる光拡散性転写層（２）を形成し、その上にセパレータフィルム（４）を設けてなる転写シート（１）を巻き出しロール（ａ）から巻き出し、セパレータフィルム（４）を転写シート（１）から剥離して巻き取りロール（ｂ）にて巻き取り、セパレータフィルム（４）を剥離した転写シート（５）をコンベア（図示せず）にて間欠的に供給される枚葉シート状基材（６）上に連続して供給し、一対のラミネートロール（７，７′）間で枚葉シート状基材（６）上に転写シート（５）の光拡散性転写層（２）の面が貼着されて放射線（紫外線）照射装置（８）に搬送されて、転写シート（５）の透光性ベースフィルム（３）を介して、放射線（紫外線）を全面に照射し、上記の光拡散性転写層（２）を硬化させ枚葉シート状基材上に重合接着した後、枚葉で間欠的に供給される枚葉シート状基材（６）間の光拡散性転写層（２）が大気中と露出していることによる酸素障害により未重合状態で選択的に透光性ベースフィルム（３）側に接着した状態で、枚葉シート状基材（６）上に重合接着した上記の光拡散性転写層（２′）から透光性ベースフィルム（３）を剥離して巻き取りロール（ｃ）にて巻き取られ、本発明の枚葉シート状の材への転写方法により、リアプロジェクションＴＶ等の背面投射型ディスプレイ装置の透過型スクリーンに用いられる光拡散シート（９）を製造効率に優れ、低コストで製造することができる。
【００１９】
本発明において使用される上記の枚葉シート状基材、すなわち光拡散シートの基材としては、例えば、厚さ３ｍｍ板サイズが１０００ｍｍ程度×６００ｍｍ程度のメタクリルスチレン等の透光性樹脂シートもしくは透光性樹脂板や石英ガラスのような板をもちいることも可能であり、厚さ、サイズ共に任意である。
【００２０】
本発明における放射線（紫外線）照射装置および放射線（紫外線）照射量は、例えば、
高圧水銀ランプを用いて２０００ｍｊ程度の照射量でよい。
【００２１】
上記の枚葉で間欠的に供給される枚葉シート状基材間の光拡散性転写層を選択的に遮蔽するマスクを介して放射線（紫外線）を照射することもできる。これにより、光拡散性転写層の放射線硬化性樹脂が完全に重合が進行しなので、確実に、光拡散性転写層が選択的に透光性ベースフィルム側に接着した状態で、枚葉シート状基材上に重合接着した上記の光拡散性転写層から透光性ベースフィルムを剥離することができる。
【図面の簡単な説明】
【００２２】
【図１】本発明の枚葉シート状基材への転写方法の一実施例として、光拡散シートの製造方法の一例を説明する模式説明図である。
【符号の説明】
【００２３】
１・・・転写シート
２・・・転写層（放射線硬化性樹脂）
２´・・・転写層（放射線硬化樹脂）
３・・・透光性ベースフィルム
４・・・セパレータフィルム
５・・・セパレータフィルムを剥離した転写シート
６・・・枚葉シート状基材
７、７´・・・ラミネートロール
８・・・放射線（紫外線）照射装置
９・・・光拡散シート
【図１】
2007199334.tif 000003